(57)【要約】【課題】テロップ領域のように動きベクトルの大きい画像が表示される領域の擬似輪郭を重点的に防止することのできる液晶表示装置を提供すること。【解決手段】動きベクトルが予め設定された所定の大きさ以上であるテロップ領域Ｒ１（要素画像領域の一例）を検出し，その検出されたテロップ領域Ｒ１を基準に，該テロップ領域Ｒ１の液晶素子への映像信号の書き込みタイミングとＬＥＤ光源群Ｌ３０の間欠点灯タイミングとが予め設定された関係となるように該ＬＥＤ光源群Ｌ３０の間欠点灯タイミングを制御する。【選択図】図４
2012018243.tif 000002
【特許請求の範囲】
【請求項１】
複数の液晶素子を有する液晶パネルの表示領域を複数に分割したときの部分領域各々を個別に背面側から照明するための複数の照明手段を有するバックライト装置と，前記液晶パネルにおける前記部分領域各々に対応する前記液晶素子への映像信号の書き込みに連動して前記照明手段各々を順次間欠点灯させるバックライト制御手段と，前記映像信号に基づいて動きベクトルを検出する動きベクトル検出手段とを備えてなる液晶表示装置であって，
前記動きベクトル検出手段により検出された動きベクトルが予め設定された所定の大きさ以上である要素画像領域を検出する要素画像領域検出手段と，
前記要素画像領域検出手段により検出された前記要素画像領域における前記液晶素子への映像信号の書き込みタイミングと前記照明手段の間欠点灯タイミングとが予め設定された関係となるように前記バックライト制御手段による前記照明手段の間欠点灯タイミングを制御する間欠点灯タイミング制御手段と，
を備えてなることを特徴とする液晶表示装置。
【請求項２】
前記要素画像領域検出手段が，前記液晶パネルにおける表示位置が所定方向に移動するテロップ領域を前記要素画像領域として検出するものである請求項１に記載の液晶表示装置。
【請求項３】
前記要素画像領域検出手段が，前記動きベクトルが予め設定された所定の大きさ以上である要素画像領域のうち該動きベクトルが最も大きい要素画像領域を検出するものである請求項１に記載の液晶表示装置。
【請求項４】
前記要素画像領域検出手段が，前記動きベクトルが予め設定された所定の大きさ以上である要素画像領域のうちコントラストが最も大きい要素画像領域を検出するものである請求項１に記載の液晶表示装置。
【請求項５】
前記要素画像領域検出手段が，前記部分領域ごとに前記要素画像領域を検出するものであって，
前記間欠点灯タイミング制御手段が，前記部分領域各々において，前記要素画像領域における前記液晶素子への映像信号の書き込みタイミングと前記照明手段の間欠点灯タイミングとが予め設定された関係となるように，前記バックライト制御手段による前記照明手段各々の間欠点灯タイミングを個別に制御するものである請求項１〜４のいずれかに記載の液晶表示装置。
【請求項６】
前記間欠点灯タイミング制御手段が，前記要素画像領域における前記液晶素子への映像信号の書き込み開始から該液晶素子の応答時間経過までの中間に所定時間の消灯時間が設けられるように，前記バックライト制御手段による前記照明手段の間欠点灯タイミングを制御するものである請求項１〜５のいずれかに記載の液晶表示装置。
【発明の詳細な説明】
【技術分野】
【０００１】
本発明は，液晶パネル及びバックライト装置を備える液晶表示装置に関し，特に，液晶パネルへの映像信号の書き込みに連動して光源を順次間欠点灯させる所謂バックライトスキャン処理により動画表示性能の向上を図る技術に関するものである。
【背景技術】
【０００２】
近年，映像を表示する液晶パネルと該液晶パネルを背後から照明するバックライト装置とを備えてなる液晶表示装置は，テレビジョン受像機やディスプレイ装置などの用途で広く普及している。液晶表示装置では，液晶パネルの画素ごとに対応する液晶素子各々に印加される電圧が映像信号に応じて制御されることにより，該液晶素子各々の表示階調（透過率）が調整されて該液晶パネルにその映像信号に基づく映像が表示される。
また，液晶表示装置では，動画表示の際に生じる動きぼやけや擬似輪郭を防止するべく，バックライト装置において，液晶パネルの表示領域を複数に分割したときの部分領域各々に対応する光源各々を，該部分領域の液晶素子への映像信号の書き込みに連動して順次間欠点灯させるバックライトスキャン処理が実行されることがある（例えば，特許文献１参照）。
【０００３】
ここに，図２は，後述の実施の形態に係る液晶表示装置Ｘのバックライト装置３１の概略構成を示す模式図である。
図２に示すように，バックライト装置３１には，液晶パネル２１の表示領域を上下の二つに分割したときの部分領域Ｒ５０，Ｒ６０に対応して，ＬＥＤ光源Ｌ１〜Ｌ６を有するＬＥＤ光源群Ｌ３０と，ＬＥＤ光源Ｌ７〜Ｌ１２を有するＬＥＤ光源群Ｌ４０とが設けられている。ＬＥＤ光源Ｌ１〜Ｌ１２各々は，液晶パネル２１の水平方向に並設された複数のＬＥＤ（発光ダイオード）３１ａを含んでいる。そして，バックライト装置３１では，ＬＥＤ光源群Ｌ３０，Ｌ４０の単位で，ＬＥＤ光源Ｌ１〜Ｌ１２の点灯及び消灯が制御される。
具体的に，バックライト装置３１では，液晶パネル２１の部分領域Ｒ５０，Ｒ６０への映像信号の書き込みに連動して，ＬＥＤ光源群Ｌ３０，Ｌ４０を順次間欠点灯させるバックライトスキャン処理が実行される。以下，図７〜９を参照しつつ，一般的なバックライトスキャン処理について説明する。
【０００４】
図７に示すように，ＬＥＤ光源群Ｌ３０は，液晶パネル２１の部分領域Ｒ５０への映像信号の書き込み（斜線部）の開始から１／４８０秒間点灯，１／２４０秒消灯，１／４８０秒間点灯のタイミングで間欠点灯される。同様に，ＬＥＤ光源群Ｌ４０は，液晶パネル２１の部分領域Ｒ６０への映像信号の書き込みの開始から１／４８０秒間点灯，１／２４０秒消灯，１／４８０秒間点灯のタイミングで間欠点灯される。
但し，図７に示すように，部分領域Ｒ５０の上端部の領域Ｒ１１と中央部の領域Ｒ１２とでは，液晶素子への映像信号の書き込みタイミングとＬＥＤ光源群Ｌ３０の間欠点灯タイミングとの関係が異なり，動画表示の際の擬似輪郭の防止効果も異なる。以下，この点について説明する。
【０００５】
ここに，図８は領域Ｒ１１における液晶素子への映像信号の書き込みタイミングとＬＥＤ光源群Ｌ３０の間欠点灯タイミングとの関係，図９は領域Ｒ１２における液晶素子への映像信号の書き込みタイミングとＬＥＤ光源群Ｌ３０の間欠点灯タイミングとの関係を示したものである。図８，図９に示すように，液晶素子の表示階調を１００から１２８に変更するために該液晶素子への印加電圧を変更すると，その後，該液晶素子では徐々にその階調（透過率）が変化する。なお，液晶素子の応答時間は１フレームに対応する１／１２０秒であるとする。
そして，図８に示すように，領域Ｒ１１については，液晶素子への映像信号の書き込みの開始から１／４８０秒間点灯（時間Ｔ１１〜Ｔ１２），１／２４０秒間消灯（時間Ｔ１２〜Ｔ１３），１／４８０秒間点灯（時間Ｔ１３〜Ｔ１４）のタイミングで，ＬＥＤ光源群Ｌ３０が間欠点灯することになる。このように，領域Ｒ１１では，液晶素子の応答開始から応答終了までの間の中間に消灯期間が設けられ，応答中に連続して点灯する時間が１／４８０秒と短い。そのため，領域Ｒ１１の動画表示の際の擬似輪郭を効果的に防止することができ，動画表示性能を向上させることができる。
一方，図９に示すように，領域Ｒ１２については，液晶素子への映像信号の書き込みの開始から１／２４０秒間消灯（時間Ｔ２１〜Ｔ２２），１／２４０秒間点灯（時間Ｔ２２〜Ｔ２３）のタイミングで，ＬＥＤ光源群Ｌ３０が間欠点灯することになる。このように，領域Ｒ１２では，液晶素子の応答中に連続して点灯する時間（１／２４０秒）が領域Ｒ１１に比べて長くなる。そのため，領域Ｒ１２の動画表示の際の擬似輪郭の防止効果は領域Ｒ１１に比べて低くなる。
【先行技術文献】
【特許文献】
【０００６】
【特許文献１】特開２００５−１２８５６１号公報
【特許文献２】特許第４３５５３４７号公報
【発明の概要】
【発明が解決しようとする課題】
【０００７】
ところで，液晶パネル２１で表示される映像では，動きベクトルが大きい領域ほど擬似輪郭が目立つことがわかっている。特に，液晶パネル２１における表示位置が左右方向に移動するテロップ領域は，一般に，ユーザが読みやすくなるようにコントラストも大きいため，該テロップ領域に生じる擬似輪郭は目立ちやすい。なお，動きベクトルやテロップ領域の検出手法については，例えば特許文献２に開示されている。
ここで，前記液晶表示装置Ｘにおいて，動きベクトルの大きい画像が表示される領域が，前述したように擬似輪郭の防止効果が高い前記領域Ｒ１１に位置する場合には，その動きベクトルの大きい画像の擬似輪郭について高い防止効果を得ることができる。
しかしながら，動きベクトルが大きい画像が表示される領域は一定ではないため，その領域が，前述したように擬似輪郭の防止効果が低い前記領域Ｒ１２に位置する場合には，その動きベクトルの大きい画像の擬似輪郭について高い防止効果を得ることができないという問題が生じる。このような問題は，上述したように前記ＬＥＤ光源Ｌ１〜Ｌ１２をＬＥＤ光源群Ｌ３０，Ｌ４０の２つに分類した場合のように分割数が少ないときに，より顕著に現れる。
従って，本発明は上記事情に鑑みてなされたものであり，その目的とするところは，テロップ領域のように動きベクトルの大きい画像が表示される領域の擬似輪郭を重点的に防止することのできる液晶表示装置を提供することにある。
【課題を解決するための手段】
【０００８】
上記目的を達成するために本発明は，複数の液晶素子を有する液晶パネルの表示領域を複数に分割したときの部分領域各々を個別に背面側から照明するための複数の照明手段を有するバックライト装置と，前記液晶パネルにおける前記部分領域各々に対応する前記液晶素子への映像信号の書き込みに連動して前記照明手段各々を順次間欠点灯させるバックライト制御手段と，前記映像信号に基づいて動きベクトルを検出する動きベクトル検出手段とを備えてなる液晶表示装置に適用されるものであって，前記動きベクトル検出手段により検出された動きベクトルが予め設定された所定の大きさ以上である要素画像領域を検出する要素画像領域検出手段と，前記要素画像領域検出手段により検出された前記要素画像領域における前記液晶素子への映像信号の書き込みタイミングと前記照明手段の間欠点灯タイミングとが予め設定された関係となるように前記バックライト制御手段による前記照明手段の間欠点灯タイミングを制御する間欠点灯タイミング制御手段とを備えてなることを特徴とする液晶表示装置として構成される。なお，前記光照射手段各々は例えば発光ダイオードや冷陰極管などで構成される。
本発明によれば，動きベクトルが大きく擬似輪郭が目立ちやすいテロップ領域などの前記要素画像領域を基準として前記照明手段の間欠点灯タイミングが調整されるため，該要素画像領域について重点的に擬似輪郭を防止することができ，当該液晶表示装置の動画表示性能を向上させることができる。
【０００９】
例えば，前記液晶パネルにおける表示位置が所定方向に移動するテロップ領域は，視聴者によって注目されやすいため，該テロップ領域の動画表示性能を向上させることは前記液晶表示装置において特に重要である。そのため，前記要素画像領域検出手段が，前記液晶パネルにおける表示位置が所定方向に移動するテロップ領域を前記要素画像領域として検出するものであることが望ましい。
また，前記要素画像領域検出手段は，前記動きベクトルが予め設定された所定の大きさ以上である要素画像領域のうち該動きベクトルが最も大きい要素画像領域を検出するものであることも考えられる。
さらに，映像のコントラストが大きいほど擬似輪郭が見えやすくなる。そのため，前記動きベクトルが予め設定された所定の大きさ以上である要素画像領域のうちコントラストが最も大きい要素画像領域を検出するものであることも考えられる。
【００１０】
また，前記要素画像領域検出手段が，前記部分領域ごとに前記要素画像領域を検出するものであって，前記間欠点灯タイミング制御手段が，前記部分領域各々において，前記要素画像領域における前記液晶素子への映像信号の書き込みタイミングと前記照明手段の間欠点灯タイミングとが予め設定された関係となるように，前記バックライト制御手段による前記照明手段各々の間欠点灯タイミングを個別に制御するものであることが望ましい。これにより，前記部分領域ごとにおける前記要素画像領域について前記照明手段の間欠点灯タイミングを適切に制御することにより，該部分領域ごとにおいて前記要素画像領域の擬似輪郭を効果的に防止することができる。
ところで，前記予め定められた関係とは，当該液晶表示装置の液晶パネルにおける液晶素子の応答特性などに応じて，最も擬似輪郭が防止されるときの条件として予め設定しておけばよい。例えば，前記液晶素子への映像信号の書き込み開始から該液晶素子の応答時間経過までの中間に所定時間の消灯時間が設けられる場合に擬似輪郭が最も防止される場合には，前記間欠点灯タイミング制御手段が，前記要素画像領域における前記液晶素子への映像信号の書き込み開始から該液晶素子の応答時間経過までの中間に所定時間の消灯時間が設けられるように，前記バックライト制御手段による前記照明手段の間欠点灯タイミングを制御するものであればよい。
【発明の効果】
【００１１】
本発明によれば，動きベクトルが大きく擬似輪郭が目立ちやすいテロップ領域などの前記要素画像領域を基準として前記照明手段の間欠点灯タイミングが調整されるため，該要素画像領域について重点的に擬似輪郭を防止することができ，当該液晶表示装置の動画表示性能を向上させることができる。
【図面の簡単な説明】
【００１２】
【図１】本発明の実施の形態に係る液晶表示装置の概略構成を示す要部ブロック図。
【図２】本発明の実施の形態に係る液晶表示装置に設けられたバックライト装置の一例を示す模式図。
【図３】本発明の実施の形態に係る液晶表示装置における間欠点灯タイミング制御処理の手順の一例を説明するフローチャート。
【図４】本発明の実施の形態に係る液晶表示装置における間欠点灯タイミング制御処理の実行結果の一例を説明するための図。
【図５】本発明の実施の形態に係る液晶表示装置における間欠点灯タイミング制御処理の実行結果の一例を説明するための図。
【図６】本発明の実施の形態に係る液晶表示装置における間欠点灯タイミング制御処理の実行結果の一例を説明するための図。
【図７】従来のバックライトスキャン処理の実行結果の一例を説明するための図。
【図８】映像信号の書き込みタイミングと間欠点灯タイミングとの関係の一例を示す模式図。
【図９】映像信号の書き込みタイミングと間欠点灯タイミングとの関係の一例を示す模式図。
【発明を実施するための形態】
【００１３】
以下添付図面を参照しながら，本発明の実施の形態について説明し，本発明の理解に供する。尚，以下の実施の形態は，本発明を具体化した一例であって，本発明の技術的範囲を限定する性格のものではない。
図１に示すように，本発明の実施の形態に係る液晶表示装置Ｘは，表示制御部１１，液晶パネル２１，液晶駆動部２２，バックライト装置３１，バックライト制御部３２などを有している。前記液晶表示装置Ｘは，例えばテレビジョン受像機やパソコンに用いられるディスプレイ装置などである。なお，本実施の形態では，本発明に直接影響しない一般的なテレビジョン受像機やディスプレイ装置が備える他の構成要素の説明を省略する。
前記液晶パネル２１は，液晶層と該液晶層に走査信号及びデータ信号を印加するための走査電極及びデータ電極とによって形成され，印加電圧により透過率が変化する複数の液晶素子を有する従来周知のアクティブマトリクス型の液晶パネルである。
【００１４】
前記表示制御部１１は，不図示のアンテナによって受信されるテレビジョン放送や不図示の外部入力端子から入力される映像コンテンツなどに含まれた映像信号を受信し，該映像信号に基づいて垂直同期信号や水平同期信号などを生成する。そして，前記映像信号や前記垂直同期信号，前記水平同期信号は，前記表示制御部１１から前記液晶駆動部２２に入力される。また，前記表示制御部１１は，前記垂直同期信号及び前記水平同期信号を前記バックライト制御部３２に入力する。
ここで，前記表示制御部１１は，テレビジョン放送の映像信号の周波数である６０Ｈｚの倍速の１２０Ｈｚの駆動周波数の垂直同期信号を生成する。そして，前記表示制御部１１は，複数フレームの映像信号から検出される動きベクトルに基づいて補間画像を生成し，その２フレームの間に挿入した映像信号を前記液晶駆動部２２に出力する。なお，１フレームの画像を前記液晶駆動部２２に２回ずつ出力してもよい。
そのため，前記表示制御部１１は，前記補間画像を生成する際に用いられる動きベクトルを，入力される映像信号に基づいて検出する従来周知の動きベクトル検出機能を有している。例えば，前記動きベクトルは，連続する２フレームの映像信号を複数のブロックに細分化し，該ブロック毎にその２フレームの間の動きの大きさや方向を算出することによって求めることができる。なお，動きベクトルの算出方法としては例えば反復勾配方やブロックマッチング法などの周知技術が採用される（例えば特許文献２参照）。
【００１５】
さらに，前記表示制御部１１は，前記動きベクトル検出機能によって検出された動きベクトルに基づいて，該動きベクトルが予め設定された所定の大きさ以上であって，前記液晶パネル２１における表示位置が左右方向（所定方向の一例）に移動するテロップ領域を検出する従来周知のテロップ領域検出機能も有している。一般に，前記テロップ領域ではニュース速報などを表す文字がスクロール表示される。
例えば，前記テロップ領域検出機能は，動きベクトルがテロップ領域を検出するために予め設定された所定の大きさ以上である領域をテロップ領域として検出する単純な手法を用いたものであることが考えられる。但し，テロップ領域ではない通常の画像についてもテロップ領域と同様の動きベクトルを有する場合がある。そのため，例えば画面全体の平均ベクトルと各ブロックの動きベクトルの差分量や平均偏差などの統計的な情報を用いてテロップ領域をより正確に検出することが望ましい（例えば特許文献２参照）。
【００１６】
前記液晶駆動部２２は，前記表示制御部１１から入力される映像信号と垂直同期信号及び水平同期信号とに基づいて，前記液晶パネル２１の液晶素子を構成する走査電極（ゲート電極）及びデータ電極（ソース電極）を駆動させる。具体的に，前記液晶駆動部２２は，垂直同期信号の受信後，１ライン目に対応する水平同期信号に応じて走査電極にゲート信号を出力すると共に，１ライン目に対応する映像信号をデータ電極に順次出力する。これにより，１ライン目の液晶素子に対して水平方向に順に映像信号が書き込まれる。その後，前記液晶駆動部２２は，２ライン目に対応する水平同期信号が入力されると，２ライン目の走査電極にゲート信号を出力し，２ライン目に対応する映像信号をデータ電極に順次出力する。その後も同様の処理が繰り返されることにより，前記液晶パネル２１の全画面に映像が表示される。
このとき，前記液晶駆動部２２は，前記表示制御部１１から入力される前記映像信号に基づいて前記液晶パネル２１の各画素に対応する液晶素子各々への印加電圧を制御することにより，該液晶素子各々の前記バックライト装置３１からの照明の透過率を変化させ，該液晶素子各々に対応する画素の表示階調を制御する。
【００１７】
前記バックライト装置３１は，前記液晶パネル２１の背面に配置され，該液晶パネル２１を背後から照明するものである。ここに，図２は，前記バックライト装置３１の構造の一例を示す模式図である。
図２に示すように，前記バックライト装置３１は，前記液晶パネル２１の表示領域を垂直方向に分割した２つの部分領域Ｒ５０，Ｒ６０に対応する２つのＬＥＤ光源群Ｌ３０，Ｌ４０（照明手段の一例）を有している。前記ＬＥＤ光源群Ｌ３０は，前記液晶パネル２１の水平方向に並設された複数のＬＥＤ（発光ダイオード）３１ａからなる複数のＬＥＤ光源Ｌ１〜Ｌ６を含むものである。同様に，前記ＬＥＤ光源群Ｌ４０は，前記液晶パネル２１の水平方向に並設された複数のＬＥＤ３１ａからなる複数のＬＥＤ光源Ｌ７〜Ｌ１２を含むものである。なお，前記ＬＥＤ光源Ｌ１〜Ｌ１２各々は，前記液晶パネル２１の複数ラインの表示画素に対応するものである。
前記バックライト装置３１は，前記バックライト制御部３２からの制御指示に応じて，前記ＬＥＤ光源Ｌ１〜Ｌ１２を前記ＬＥＤ光源群Ｌ３０，Ｌ４０の単位で個別に明滅させる。
なお，ここでは，前記液晶パネル２１の表示領域を２つの前記部分領域Ｒ５０，Ｒ６０に分割し，前記バックライト装置３１を２つの前記ＬＥＤ光源群Ｌ３０，Ｌ４０に分割した場合を例に挙げて説明するが，三つ以上の部分領域やＬＥＤ光源群に分割された構成も他の実施例として考えられる。また，前記ＬＥＤ光源Ｌ１〜Ｌ１２の数はこれに限らず，前記液晶パネル２１のサイズに応じて適宜設計変更すればよい。ところで，前記バックライト装置３１は，前記ＬＥＤ光源Ｌ１〜Ｌ１２が前記液晶パネル２１の背面側に設けられた所謂直下型のＬＥＤバックライト装置であるが，前記液晶パネル２１を複数の分割領域ごとに照明することのできるように構成されたバックライト装置であればよい。例えば，前記液晶パネル２１の上下や左右のエッジ部に対応して該液晶パネル２１の水平方向や垂直方向に複数のＬＥＤが並設され，該ＬＥＤ各々からの光を導光板で導くことにより前記液晶パネル２１を背後から照明する所謂エッジ型のＬＥＤバックライト装置であってもよい。具体的に，前記液晶パネル２１の左右のエッジ部に垂直方向に複数のＬＥＤが並設される場合には，該ＬＥＤを上から下に向けて順に点灯させることによりバックライトスキャンを実現し得る。また，前記液晶パネル２１の上下のエッジ部に水平方向に複数のＬＥＤが並設される場合には，上部に並設されたＬＥＤと下部に並設されたＬＥＤとを交互に点灯させることにより二分割のバックライトスキャンを実現し得る。もちろん，上下左右それぞれのエッジ部にＬＥＤが配置されている場合でも同様にバックライトスキャンを実現し得る。さらに，前記バックライト装置３１は，前記ＬＥＤ光源Ｌ１〜Ｌ１２に代えて前記液晶パネル２１の垂直方向に並設された複数の蛍光管（冷陰極管）を有するものであってもよい。
【００１８】
前記バックライト制御部３２は，前記液晶パネル２１における前記部分領域Ｒ５０，Ｒ６０各々に対応する液晶素子への映像信号の書き込みに連動して前記ＬＥＤ光源群Ｌ３０，Ｌ４０を１フレーム期間内で順次間欠点灯させるバックライトスキャン処理を実行する。ここに，係る処理を実行するときの前記バックライト制御部３２がバックライト制御手段に相当する。例えば，前記バックライト制御部３２は，垂直同期信号の入力から所定数の水平同期信号が入力されるごとに，前記ＬＥＤ光源群Ｌ３０，Ｌ４０の点灯及び消灯を切り替える。
なお，１フレーム期間とは，前記液晶パネル２１に１フレームの画像を表示するための期間，即ち垂直同期信号の間隔である。従って，前記液晶パネル２１の画像書き込み速度（駆動周波数）が１２０Ｈｚ（いわゆる倍速液晶）である前記液晶表示装置Ｘにおいて，１フレーム期間は１／１２０秒（約８．３ｍｓ）である。もちろん，前記液晶パネル１５の駆動周波数は，６０Ｈｚや２４０Ｈｚなどであってもよい。
【００１９】
ところで，前記バックライト制御部３２により実行されるバックライトスキャン処理において，前記部分領域Ｒ５０，Ｒ６０における液晶素子への映像信号の書き込みタイミングと前記ＬＥＤ光源群Ｌ３０，Ｌ４０の間欠点灯タイミングとの関係が常に一定であると，該部分領域Ｒ５０，Ｒ６０において最も動画表示性能が高くなる位置が固定される。例えば，前記部分領域Ｒ５０，Ｒ６０の先頭位置を基準に前記ＬＥＤ光源群Ｌ３０，Ｌ４０の間欠点灯タイミングを定めると，常にその先頭位置が最も動画表示性能の高い領域となるため，その先頭位置以外の箇所にテロップ領域などの動きベクトルの大きい画像が表示される場合に，その画像の擬似輪郭が目立ちやすくなる。
そこで，前記液晶表示装置Ｘでは，前記表示制御部１１によって後述の間欠点灯タイミング制御処理（図３参照）を実行し，前記液晶パネル２１への映像信号の書き込みタイミングと前記バックライト装置３１における前記ＬＥＤ光源群Ｌ３０，Ｌ４０の間欠点灯タイミングとの関係を適宜調整することにより，動画表示の際の擬似輪郭が目立ちやすい箇所について重点的に擬似輪郭を防止する。ここに，係る間欠点灯タイミング制御処理を実行するときの前記表示制御部１１が間欠点灯タイミング制御手段に相当する。
以下，図３のフローチャートを参照しつつ，前記表示制御部１１によって実行される間欠点灯タイミング制御処理の手順の一例について説明する。なお，図３に示すＳ１，Ｓ２，…は処理手順（ステップ）番号を表す。
【００２０】
（ステップＳ１〜Ｓ２）
まず，ステップＳ１において，前記表示制御部１１は，前記動きベクトル検出機能により，連続する２フレームの映像信号に基づいて動きベクトルを検出する。ここに，係る処理を実行するときの前記表示制御部１１が要素が動きベクトル検出手段に相当する。
続いて，ステップＳ２において，前記表示制御部１１は，前記テロップ領域検出機能により，前記部分領域Ｒ５０，Ｒ６０各々について，前記ステップＳ１で検出された動きベクトルに基づいて，前記液晶パネル２１における表示位置が左右方向に移動するテロップ領域を検出する。本実施の形態では，動きベクトルが予め設定された所定の大きさ以上であって擬似輪郭が目立ちやすい要素画像領域として前記テロップ領域を例に挙げて説明する。ここに，係る処理を実行するときの前記表示制御部１１が要素画像領域検出手段に相当する。
なお，前述したように前記動きベクトルの算出手法や前記テロップ領域の検出手法は従来周知（例えば特許文献２参照）の各種手法を用いればよいためここでは詳細な説明を省略する。
【００２１】
（ステップＳ３〜Ｓ４）
次に，ステップＳ３では，前記表示制御部１１によって，前記ステップＳ２において前記部分領域Ｒ５０，Ｒ６０の少なくとも一方でテロップ領域が検出されたか否かが判断される。ここで，テロップ領域が検出されたと判断されると（Ｓ３のＹｅｓ側），処理はステップＳ４に移行し，テロップ領域が検出されなければ（Ｓ３のＮｏ側），処理は前記ステップＳ１に戻される。なお，前記ステップＳ２においてテロップ領域が検出されていない間は（Ｓ３のＮｏ側），例えば図７に示したように，前記部分領域Ｒ５０，Ｒ６０各々の先頭部分を基準として，前記ＬＥＤ光源群Ｌ３０，Ｌ４０各々の間欠点灯タイミングを制御すればよい。
そして，前記ステップＳ３においてテロップ領域が検出された場合（Ｓ３のＹｅｓ側），前記表示制御部１１は，続くステップＳ４において，前記部分領域Ｒ５０にテロップ領域が存在するか否かを判断する。ここで，前記部分領域Ｒ５０にテロップ領域が存在すると判断された場合には（Ｓ４のＹｅｓ側），処理はステップＳ５に移行する。また，前記部分領域Ｒ５０にテロップ領域が存在しないと判断された場合，即ち前記部分領域Ｒ６０にテロップ領域が存在する場合には（Ｓ４のＮｏ側），処理はステップＳ４１に移行する。
【００２２】
（ステップＳ５）
前記部分領域Ｒ５０にテロップ領域が存在すると判断された場合（Ｓ４のＹｅｓ側），続くステップＳ５において，前記表示制御部１１は，図４に示すように，前記ＬＥＤ光源群Ｌ３０の間欠点灯タイミングを前記部分領域Ｒ５０のテロップ領域を基準に制御する。ここでは，前記部分領域Ｒ５０の中央部近傍においてテロップ領域Ｒ１が検出されたものとする。
この場合，前記表示制御部１１は，前記部分領域Ｒ５０のテロップ領域Ｒ１の映像信号の書き込みタイミングと前記ＬＥＤ光源群Ｌ３０の間欠点灯タイミングとの関係が，図８に示したように，テロップ領域Ｒ１の中心位置に対応する液晶素子への映像信号の書き込みの開始から１／４８０秒間点灯（時間Ｔ１１〜Ｔ１２），１／２４０秒間消灯（時間Ｔ１２〜Ｔ１３），１／４８０秒間点灯（時間Ｔ１３〜Ｔ１４）のタイミングでＬＥＤ光源群Ｌ３０が間欠点灯する予め設定された関係となるように，前記バックライト制御部３２による前記ＬＥＤ光源群Ｌ３０の間欠点灯タイミングを制御する。前述したように，この予め設定された関係は，前記液晶パネル２１における擬似輪郭の防止効果が最も高くなる関係として予め設定されたものである（以下，同様）。
これにより，前記部分領域Ｒ５０のテロップ領域Ｒ１では，液晶素子への映像信号の書き込み開始（応答開始）から応答期間経過までの間の中間に所定時間（１／２４０秒間）の消灯期間が設けられ，該液晶素子の応答中にＬＥＤ光源群Ｌ３０が連続して点灯する時間が１／４８０秒と短いため，動画表示の際の擬似輪郭を重点的に防止することができ，動画表示性能を向上させることができる。また，前記テロップ領域Ｒ１の中心位置の映像信号の書き込み開始時を基準としているため，該テロップ領域Ｒ１の開始位置と終了位置との擬似輪郭の差が最も抑制される。
ところで，当該ステップＳ５や後述のステップＳ４１，Ｓ４２，Ｓ６１，Ｓ７等において，前記ＬＥＤ光源群Ｌ３０や前記ＬＥＤ光源群Ｌ４０の間欠点灯タイミングを急激に変更すると，前記液晶パネル２１の表示映像のチラツキの原因となるおそれがあるため，間欠点灯タイミングの変更は例えば複数フレームの間に徐々に行うことが望ましい。
【００２３】
（ステップＳ４１〜Ｓ４２）
一方，前記部分領域Ｒ５０にテロップ領域が存在しないと判断された場合（Ｓ４のＮｏ側），続くステップＳ４１において，前記表示制御部１１は，図５に示すように，前記ＬＥＤ光源群Ｌ４０の間欠点灯タイミングを前記部分領域Ｒ６０のテロップ領域を基準に制御する。ここでは，前記部分領域Ｒ６０の下端部近傍においてテロップ領域Ｒ２が検出されたものとする。
この場合，前記表示制御部１１は，前記部分領域Ｒ６０のテロップ領域Ｒ２への映像信号の書き込みタイミングと前記ＬＥＤ光源群Ｌ４０の間欠点灯タイミングとの関係が，図８に示したように，テロップ領域Ｒ２の中心位置に対応する液晶素子への映像信号の書き込みの開始から１／４８０秒間点灯（時間Ｔ１１〜Ｔ１２），１／２４０秒間消灯（時間Ｔ１２〜Ｔ１３），１／４８０秒間点灯（時間Ｔ１３〜Ｔ１４）のタイミングで，ＬＥＤ光源群Ｌ４０が間欠点灯する関係となるように，前記バックライト制御部３２による前記ＬＥＤ光源群Ｌ４０の間欠点灯タイミングを制御する。これにより，前記部分領域Ｒ６０のテロップ領域Ｒ２では，液晶素子への映像信号の書き込み開始（応答開始）から応答期間経過までの間の中間に所定時間（１／２４０秒間）の消灯期間が設けられ，該液晶素子の応答中にＬＥＤ光源群Ｌ４０が連続して点灯する時間が１／４８０秒と短いため，動画表示の際の擬似輪郭を重点的に防止することができ，動画表示性能を向上させることができる。
このとき，ステップＳ４２において，前記表示制御部１１は，図５に示すように，前記ＬＥＤ光源群Ｌ３０の間欠点灯タイミング（位相）が，前記ＬＥＤ光源群Ｌ４０の間欠点灯タイミングと逆位相になるように前記バックライト制御部３２に制御指令を与えて，処理を前記ステップＳ１に戻す。これにより，前記液晶パネル２１において前記ＬＥＤ光源群Ｌ３０，Ｌ４０が交互に点灯することになるため，映像のチラツキが防止される。
【００２４】
（ステップＳ６）
前記ステップＳ５の後，ステップＳ６において，前記表示制御部１１は，前記部分領域Ｒ６０にテロップ領域が存在するか否かを判断する。ここで，前記ステップＳ２において前記部分領域Ｒ６０でテロップ領域が検出されていたと判断されると（Ｓ６のＹｅｓ側），処理はステップＳ７に移行し，前記部分領域Ｒ６０でテロップ領域が検出されなかったと判断されると（Ｓ６のＮｏ側），処理はステップＳ６１に移行する。
【００２５】
（ステップＳ７）
前記部分領域Ｒ５０，Ｒ６０の両方においてテロップ領域が検出された場合（Ｓ４，Ｓ６のＹｅｓ側），ステップＳ７では，前記表示制御部１１によって，図６に示すように，前記ＬＥＤ光源群Ｌ４０の間欠点灯タイミングを前記部分領域Ｒ６０のテロップ領域を基準に制御する。ここでは，前記部分領域Ｒ５０の中央部近傍のテロップ領域Ｒ１及び前記部分領域Ｒ６０の下端部近傍のテロップ領域Ｒ２が共に検出されていたものとする。
この場合，前記表示制御部１１は，前記ステップＳ４１と同様に，前記部分領域Ｒ６０のテロップ領域Ｒ２への映像信号の書き込みタイミングと前記ＬＥＤ光源群Ｌ４０の間欠点灯タイミングとの関係が，図８に示したように，テロップ領域Ｒ２の中心位置に対応する液晶素子への映像信号の書き込みの開始から１／４８０秒間点灯（時間Ｔ１１〜Ｔ１２），１／２４０秒間消灯（時間Ｔ１２〜Ｔ１３），１／４８０秒間点灯（時間Ｔ１３〜Ｔ１４）のタイミングでＬＥＤ光源群Ｌ４０が間欠点灯する関係となるように，前記バックライト制御部３２による前記ＬＥＤ光源群Ｌ４０の間欠点灯タイミングを制御する。
このように，前記部分領域Ｒ５０の中央部近傍のテロップ領域Ｒ１及び前記部分領域Ｒ６０の下端部近傍のテロップ領域Ｒ２が共に検出された場合，前記表示制御部１１は，前記部分領域Ｒ５０，Ｒ６０各々において，前記テロップ領域Ｒ１，Ｒ２の映像信号の書き込みタイミングと前記ＬＥＤ光源群Ｌ３０，Ｌ４０の間欠点灯タイミングとが予め設定された関係（図８参照）となるように，前記バックライト制御部３２による前記ＬＥＤ光源群Ｌ３０，Ｌ４０各々の間欠点灯タイミングを個別に制御する。従って，前記部分領域Ｒ５０，Ｒ６０各々のテロップ領域Ｒ１，Ｒ２において，液晶素子の応答開始から応答終了までの間の中間に消灯期間が設けられ，応答中に連続して点灯する時間が１／４８０秒と短くなるため，テロップ領域Ｒ１，Ｒ２各々について擬似輪郭を重点的に防止することができ，動画表示性能を向上させることができる。
【００２６】
（ステップＳ６１）
一方，前記部分領域Ｒ５０でテロップ領域が検出され，前記部分領域Ｒ６０ではテロップ領域が検出されない場合（Ｓ４のＹｅｓ側，Ｓ６のＮｏ側），ステップＳ６１において，前記表示制御部１１は，図４に示すように，前記ＬＥＤ光源群Ｌ４０の間欠点灯タイミング（位相）が，前記ＬＥＤ光源群Ｌ３０の間欠点灯タイミングと逆位相になるように前記バックライト制御部３２に制御指令を与えて，処理を前記ステップＳ１に戻す。これにより，前記液晶パネル２１において前記ＬＥＤ光源群Ｌ３０，Ｌ４０が交互に点灯することになるため，映像のチラツキが防止される。
【００２７】
以上説明したように，前記液晶表示装置Ｘでは，前記表示制御部１１によって前記間欠点灯タイミング制御処理が実行されることにより，前記液晶パネル２１の部分領域Ｒ５０，Ｒ６０各々に対応するＬＥＤ光源群Ｌ３０，Ｌ４０の間欠点灯タイミングが，該部分領域Ｒ５０，Ｒ６０に含まれるテロップ領域（要素画像領域の一例）の表示位置に応じて適宜変更されることとなり，該テロップ領域についての擬似輪郭を重点的に防止することができる。
なお，本実施の形態では，前記部分領域Ｒ５０，Ｒ６０ごとにテロップ領域を検出して，該テロップ領域各々の擬似輪郭を重点的に防止する場合を例に挙げて説明したが，前記液晶パネル２１全体について一つのテロップ領域を検出して，該テロップ領域が含まれた部分領域におけるそのテロップ領域の擬似輪郭を重点的に防止し，他の部分領域の間欠点灯の位相を逆位相にすることも考えられる。
また，本実施の形態では，前記テロップ領域Ｒ１，Ｒ２の中心位置の映像信号の書き込み開始時を基準に前記ＬＥＤ光源群Ｌ３０，Ｌ４０の間欠点灯タイミングを制御する場合を例に挙げて説明したが，前記テロップ領域Ｒ１，Ｒ２の最初や最後などの映像信号の書き込み開始時を基準に前記ＬＥＤ光源群Ｌ３０，Ｌ４０の間欠点灯タイミングを制御してもよい。
【００２８】
ところで，本実施の形態では，テロップ領域の映像信号の書き込みタイミングと前記ＬＥＤ光源群Ｌ３０，Ｌ４０の間欠点灯タイミングとの関係が，該テロップ領域の液晶素子への映像信号の書き込み開始から該液晶素子の応答時間経過までの中間に所定時間の消灯時間が設けられるという予め設定された関係になるように，前記バックライト制御部３２による前記ＬＥＤ光源群Ｌ３０，Ｌ４０の間欠点灯タイミングを制御するものである場合について説明した。
一方，前記予め設定された関係を，前記液晶素子の階調変化の程度などによって変化させることも考えられる。例えば，前記液晶素子の階調変化の程度が大きい場合であって，該液晶素子への映像信号の書き込み開始直後に最も階調変化が大きくなる場合には，その書き込み開始直後に消灯時間が設けられるように前記バックライト制御部３２による前記ＬＥＤ光源群Ｌ３０，Ｌ４０の間欠点灯タイミングを制御することにより，その階調変化が大きい状態を極力見せないようにすることも可能である。
【実施例】
【００２９】
前記実施の形態では，前記ステップＳ２において，動きベクトルが予め設定された所定の大きさ以上であって擬似輪郭が目立ちやすい要素画像領域として前記テロップ領域を検出する場合を例に挙げて説明したが，該テロップ領域が存在しない場合であっても，他に動きベクトルが予め設定された所定の大きさ以上である要素画像領域が存在する場合には，その要素画像領域を基準に前記ＬＥＤ光源群Ｌ３０，Ｌ４０の間欠点灯タイミングを制御することが考えられる。
例えば，前記ステップＳ２において，前記ステップＳ１で検出された動きベクトルが予め設定された所定の大きさ以上である要素画像領域のうち該動きベクトルが最も大きい要素画像領域を検出することが考えられる。これにより，動きベクトルが最も大きい要素画像領域における擬似輪郭を重点的に防止することができる。
その他，コントラストが大きい領域でも擬似輪郭が目立ちやすくなる。そのため，前記ステップＳ２において，前記ステップＳ１で検出された動きベクトルが予め設定された所定の大きさ以上である要素画像領域のうちコントラストが最も大きい要素画像領域を検出することも考えられる。これにより，ある程度大きい動きベクトルを有する要素画像領域のうちコントラストが高い要素画像領域における擬似輪郭を重点的に防止することができる。
また，動きベクトル及びコントラスト各々の大きさに所定の重み付けを施して評価した結果，最も擬似輪郭が目立ちやすいと推定される領域を要素画像領域として特定してもよい。
【産業上の利用可能性】
【００３０】
本発明は，テレビジョン受像機やディスプレイ装置などの液晶表示装置への利用が可能である。
【符号の説明】
【００３１】
１１…表示制御部
２１…液晶パネル
２２…液晶駆動部
３１…バックライト装置
３１ａ…ＬＥＤ
３２…バックライト制御部
Ｌ１〜Ｌ１２…ＬＥＤ光源
Ｌ３０，Ｌ４０…ＬＥＤ光源群
Ｒ１，Ｒ２…テロップ領域
Ｒ５０，Ｒ６０…部分領域
Ｘ…液晶表示装置
【図１】
2012018243.tif 000003
【図２】
2012018243.tif 000004
【図３】
2012018243.tif 000005
【図４】
2012018243.tif 000006
【図５】
2012018243.tif 000007
【図６】
2012018243.tif 000008
【図７】
2012018243.tif 000009
【図８】
2012018243.tif 000010
【図９】
2012018243.tif 000011
【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
複数の液晶素子を有する液晶パネルの表示領域を２つに分割したときの部分領域各々を個別に背面側から照明するための２つの照明手段を有するバックライト装置と，前記液晶パネルにおける前記部分領域各々に対応する前記液晶素子への映像信号の書き込みに連動して前記照明手段各々を順次間欠点灯させるバックライト制御手段と，前記映像信号に基づいて動きベクトルを検出する動きベクトル検出手段とを備えてなる液晶表示装置であって，
前記動きベクトル検出手段により検出された動きベクトルが予め設定された所定の大きさ以上である要素画像領域を前記部分領域から検出する要素画像領域検出手段と，
前記要素画像領域検出手段により検出された前記要素画像領域における前記液晶素子への映像信号の書き込み開始から該液晶素子の応答時間経過までの中間に所定時間の消灯時間が設けられ，かつ，前記２つの照明手段が交互に点灯するように，前記バックライト制御手段による前記照明手段の間欠点灯タイミングを制御する間欠点灯タイミング制御手段と，
を備えてなることを特徴とする液晶表示装置。
【請求項２】
前記要素画像領域検出手段が，前記動きベクトルが予め設定された所定の大きさ以上であって，前記液晶パネルにおける表示位置が所定方向に移動するテロップ領域を前記要素画像領域として検出するものである請求項１に記載の液晶表示装置。
【請求項３】
前記要素画像領域検出手段が，前記動きベクトルが予め設定された所定の大きさ以上である要素画像領域のうち該動きベクトルが最も大きい要素画像領域を検出するものである請求項１に記載の液晶表示装置。
【請求項４】
前記要素画像領域検出手段が，前記動きベクトルが予め設定された所定の大きさ以上である要素画像領域のうちコントラストが最も大きい要素画像領域を検出するものである請求項１に記載の液晶表示装置。
【請求項５】
前記要素画像領域検出手段が，前記部分領域ごとに前記要素画像領域を検出するものであって，
前記間欠点灯タイミング制御手段が，前記部分領域各々において，前記要素画像領域における前記液晶素子への映像信号の書き込み開始から該液晶素子の応答時間経過までの中間に所定時間の消灯時間が設けられ，かつ，前記２つの照明手段が交互に点灯するように，前記バックライト制御手段による前記照明手段各々の間欠点灯タイミングを個別に制御するものである請求項１〜４のいずれかに記載の液晶表示装置。
【手続補正２】
【補正対象書類名】明細書
【補正対象項目名】０００８
【補正方法】変更
【補正の内容】
【０００８】
上記目的を達成するために本発明は，複数の液晶素子を有する液晶パネルの表示領域を２つに分割したときの部分領域各々を個別に背面側から照明するための２つの照明手段を有するバックライト装置と，前記液晶パネルにおける前記部分領域各々に対応する前記液晶素子への映像信号の書き込みに連動して前記照明手段各々を順次間欠点灯させるバックライト制御手段と，前記映像信号に基づいて動きベクトルを検出する動きベクトル検出手段とを備えてなる液晶表示装置に適用されるものであって，前記動きベクトル検出手段により検出された動きベクトルが予め設定された所定の大きさ以上である要素画像領域を前記部分領域から検出する要素画像領域検出手段と，前記要素画像領域検出手段により検出された前記要素画像領域における前記液晶素子への映像信号の書き込み開始から該液晶素子の応答時間経過までの中間に所定時間の消灯時間が設けられ，かつ，前記２つの照明手段が交互に点灯するように，前記バックライト制御手段による前記照明手段の間欠点灯タイミングを制御する間欠点灯タイミング制御手段とを備えてなることを特徴とする液晶表示装置として構成される。なお，前記光照射手段各々は例えば発光ダイオードや冷陰極管などで構成される。
本発明によれば，動きベクトルが大きく擬似輪郭が目立ちやすいテロップ領域などの前記要素画像領域を基準として前記照明手段の間欠点灯タイミングが調整されるため，該要素画像領域について重点的に擬似輪郭を防止することができ，当該液晶表示装置の動画表示性能を向上させることができる。
【手続補正３】
【補正対象書類名】明細書
【補正対象項目名】０００９
【補正方法】変更
【補正の内容】
【０００９】
例えば，前記液晶パネルにおける表示位置が所定方向に移動するテロップ領域は，視聴者によって注目されやすいため，該テロップ領域の動画表示性能を向上させることは前記液晶表示装置において特に重要である。そのため，前記要素画像領域検出手段が，前記動きベクトルが予め設定された所定の大きさ以上であって，前記液晶パネルにおける表示位置が所定方向に移動するテロップ領域を前記要素画像領域として検出するものであることが望ましい。
また，前記要素画像領域検出手段は，前記動きベクトルが予め設定された所定の大きさ以上である要素画像領域のうち該動きベクトルが最も大きい要素画像領域を検出するものであることも考えられる。
さらに，映像のコントラストが大きいほど擬似輪郭が見えやすくなる。そのため，前記動きベクトルが予め設定された所定の大きさ以上である要素画像領域のうちコントラストが最も大きい要素画像領域を検出するものであることも考えられる。
【手続補正４】
【補正対象書類名】明細書
【補正対象項目名】００１０
【補正方法】変更
【補正の内容】
【００１０】
また，前記要素画像領域検出手段が，前記部分領域ごとに前記要素画像領域を検出するものであって，前記間欠点灯タイミング制御手段が，前記部分領域各々において，前記要素画像領域における前記液晶素子への映像信号の書き込み開始から該液晶素子の応答時間経過までの中間に所定時間の消灯時間が設けられ，かつ，前記２つの照明手段が交互に点灯するように，前記バックライト制御手段による前記照明手段各々の間欠点灯タイミングを個別に制御するものであることが望ましい。これにより，前記部分領域ごとにおける前記要素画像領域について前記照明手段の間欠点灯タイミングを適切に制御することにより，該部分領域ごとにおいて前記要素画像領域の擬似輪郭を効果的に防止することができる。
ところで，前記予め定められた関係とは，当該液晶表示装置の液晶パネルにおける液晶素子の応答特性などに応じて，最も擬似輪郭が防止されるときの条件として予め設定しておけばよい。例えば，前記液晶素子への映像信号の書き込み開始から該液晶素子の応答時間経過までの中間に所定時間の消灯時間が設けられる場合に擬似輪郭が最も防止される場合には，前記間欠点灯タイミング制御手段が，前記要素画像領域における前記液晶素子への映像信号の書き込み開始から該液晶素子の応答時間経過までの中間に所定時間の消灯時間が設けられるように，前記バックライト制御手段による前記照明手段の間欠点灯タイミングを制御するものであればよい。